(57)【要約】      （修正有）【課題】引っ張り強度が強く、回転運動の滑らかさを確保できる携帯電話ホルダーを提供する。【解決手段】固定部、回転部及びリングを含む携帯電話ホルダーであって、固定部１１０は携帯電話又は携帯電話ケースの背面への固定連結に用いられ、回転部１２０を介してリング１３０に連結され、両面テープ１１２及び携帯電話ホルダーシート１１３を含む。携帯電話ホルダーシートは両面テープを介して携帯電話又は携帯電話ケースの背面に固定連結される。回転カラム１２２の底部が両面テープ及び携帯電話ホルダーシートを通過してマンガン鋼スペーサー１１１にリベット固定される。回転カラムと携帯電話ホルダーシートとの間にさらにプレート１２１が設けられ、プレートの両端がそれぞれ携帯電話ホルダーシート及び回転カラムの段差に当接する。【選択図】図１
0003226902.tif 000002
【実用新案登録請求の範囲】
【請求項１】
固定部（１１０）、回転部（１２０）及びリング（１３０）を含む携帯電話ホルダーであって、リング（１３０）が回転部（１２０）を介して固定部（１１０）に連結されることを特徴とする携帯電話ホルダー。
【請求項２】
前記固定部（１１０）がマンガン鋼スペーサー（１１１）、両面テープ（１１２）及び携帯電話ホルダーシート（１１３）を含み、マンガン鋼スペーサー（１１１）が携帯電話ホルダーシート（１１３）の中部に嵌設されることを特徴とする、請求項１に記載の携帯電話ホルダー。
【請求項３】
前記回転部（１２０）が回転カラム（１２２）を含み、回転カラム（１２２）の上端がリング（１３０）と可動結合され、回転カラム（１２２）の下端が両面テープ（１１２）及び携帯電話ホルダーシート（１１３）を通過してマンガン鋼スペーサー（１１１）にリベット固定されることを特徴とする、請求項２に記載の携帯電話ホルダー。
【請求項４】
前記回転カラム（１２２）と携帯電話ホルダーシート（１１３）との間にプレート（１２１）が設けられ、プレート（１２１）の両端がそれぞれ携帯電話ホルダーシート（１１３）及び回転カラム（１２２）の段差に当接し、回転カラム（１２２）とプレート（１２１）との間にスペーサーを有することを特徴とする、請求項３に記載の携帯電話ホルダー。
【請求項５】
前記プレート（１２１）がマンガン鋼材質製であることを特徴とする、請求項４に記載の携帯電話ホルダー。
【考案の詳細な説明】
【技術分野】
【０００１】
本考案は携帯電話アクセサリーの技術分野に関し、具体的には携帯電話ホルダーに関する。
【背景技術】
【０００２】
現在、モバイルスマートデバイスの出現は、多くの人々のライフスタイル及び従来の通信手段に対する要求を変化させた。人々は、携帯電話の外観や基本機能の使用では満足せず、携帯電話の強力なオペレーティングシステムが人々にもたらす、より多く、より優れた、よりパーソナライズされたソーシャルサービスを求め始めている。スマートフォンもほぼこの時代の不可欠な代表的装備となっている。昨今、益々多くの消費者はスマートフォンを購入のターゲットにしている。従来のフィーチャーフォンと比較して、スマートフォンは携帯性と機能性などの特徴から、エンターテインメント、ビジネス、ニュース、サービスなどのアプリケーション機能において、消費者のモバイルネットワーク体験をより満足させることができる。
【０００３】
携帯電話をノートパソコンのように卓上で支え、ユーザーがより快適かつ便利に現代生活を楽しむことができるようにするため、各メーカーが、携帯電話用の支持装置、例えば携帯電話ホルダーを発表している。しかし、既存の携帯電話ホルダーには次の欠点がある。携帯電話ホルダーの回転支柱と底部固定シートとの連結方法はリベットポイントによる固定であるが、リベットポイントでは力を受ける面積が狭く、引張試験に合格することが困難である；また、回転支柱の回転時、底部固定シートとの摩擦が比較的に大きく、既存の技術の多くは弾性ピンによりこのような問題に対処するが、効果は限定的である。
【考案の概要】
【考案が解決しようとする課題】
【０００４】
本考案の実施例は、上記の問題を解決するための携帯電話ホルダーを提供することを目的とする。
【課題を解決するための手段】
【０００５】
上記の目的を実現するため、本考案は以下の技術的実施形態を提供する。
固定部、回転部及びリングを含み、前記リングが前記回転部を介して前記固定部に連結される携帯電話ホルダー。
任意的な一実施形態では、前記固定部がマンガン鋼スペーサー、両面テープ及び携帯電話ホルダーシートを含み、マンガン鋼スペーサーが携帯電話ホルダーシートの中部に嵌設される。
【０００６】
任意的な一実施形態では、前記回転部が回転カラムを含み、回転カラムの上端がリングと可動結合され、回転カラムの下端が両面テープ及び携帯電話ホルダーシートを通過してマンガン鋼スペーサーにリベット固定される。
【０００７】
任意的な一実施形態では、前記回転カラムと携帯電話ホルダーシートとの間にプレートが設けられ、プレートの両端がそれぞれ携帯電話ホルダーシート及び回転カラムの段差に当接し、回転カラムとプレートとの間にスペーサーを有する。
【０００８】
任意的な一実施形態では、前記プレートがマンガン鋼材質製である。
【考案の効果】
【０００９】
既存の技術と比較して、本考案の実施例の有利な効果は以下の通りである。
１．元来のリベットポイント構造をプレート状構造に改善するとともに、回転カラムの長さを増やし、元来のリベットポイントでは引張試験に合格できない問題を解決した；
２．マンガン鋼製のプレートを追加し、元来の弾性ピンに置き換えることで、回転スクラッチの問題を解決し、運動の滑らかさを確保できる。
【図面の簡単な説明】
【００１０】
【図１】本考案の第１の実施例の分解図である。
【図２】本考案の第１の実施例の使用概略図である。
【図３】本考案の第１の実施例の構造概略図である。
【考案を実施するための形態】
【００１１】
本考案の目的、技術的実施形態、及び利点をより明確にするため、以下、添付の図面及び実施例を参照しながら本考案をさらに詳細に説明する。本明細書に記載される具体的な実施例は、本考案を説明するためにのみ使用され、本考案の限定を意図しないことを理解すべきである。
【００１２】
＜実施例１＞
図１〜３を参照すると、本考案実施例において、携帯電話ホルダーは、固定部１１０、回転部１２０及びリング１３０を含む。前記固定部１１０は携帯電話１０又は携帯電話ケースの背面への固定連結に用いられる。リング１３０は回転部１２０を介して固定部１１０と連結される。固定部１１０はマンガン鋼スペーサー１１１、両面テープ１１２及び携帯電話ホルダーシート１１３を含み、マンガン鋼スペーサー１１１は携帯電話ホルダーシート１１３の中部に嵌設固定され、携帯電話ホルダーシート１１３は両面テープ１１２を介して携帯電話１０又は携帯電話ケースの背面に固定連結される。回転部１２０は回転カラム１２２を含み、回転カラム１２２の上端はリング１３０と可動結合され、リング１３０は回転カラム１２２の軸線方向に対して３６０°回転可能であり、また回転カラム１２２の径方向に対して１８０°回転可能である。回転カラム１２２の下端は両面テープ１１２及び携帯電話ホルダーシート１１３を通過してマンガン鋼スペーサー１１１にリベット固定される。元来又は同種の携帯電話ホルダーにおいて、マンガン鋼スペーサー１１１はリベットポイント構造であったが、我々はそれをプレート状構造に改良し、元来のリベットポイントでは引張試験に合格できない問題を解決した。回転カラム１２２と携帯電話ホルダーシート１１３との間にプレート１２１が設けられ、プレート１２１の両端はそれぞれ携帯電話ホルダーシート１１３及び回転カラム１２２の段差に当接することで、両者の間の摩擦が減少し、これにより回転カラム１２２の回転時に携帯電話ホルダーシート１１３に対してスクラッチを生じさせる問題が解決された。回転カラム１２２とプレート１２１との間にスペーサーがある。
【００１３】
＜実施例２＞
本考案実施例と実施例１との相違点は、さらに、プレート１２１の耐圧性及び耐摩耗性を確保するため、前記プレート１２１はマンガン鋼材質製である。
【００１４】
本考案の動作原理は、元来のリベットポイント構造をプレート状構造に改良するとともに、回転軸の長さを増やし、元来のリベットポイントでは引張試験に合格できない問題を解決した；マンガン鋼製のプレート１２１を追加し、元来の弾性ピンに置き換えることで、回転スクラッチの問題を解決し、運動の滑らかさを確保できる。
【００１５】
上記は本考案の好ましい実施例にすぎず、本考案の限定を意図しない。実用新案の精神及び原則の範囲内で行われた変更、同等品の交換及び改良は、すべて本考案の保護範囲内に含まれる。
【符号の説明】
【００１６】
１０  携帯電話
１１０  固定部
１２０  回転部
１３０  リング
１１１  マンガン鋼スペーサー
１１２  両面テープ
１１３  携帯電話ホルダーシート
１２１  プレート
１２２  回転カラム
【図１】
0003226902.tif 000003
【図２】
0003226902.tif 000004
【図３】
0003226902.tif 000005